(57)【要約】【課題】軽量で保温性、量産性に優れ、放射体岩盤や放射体加熱部などを後から簡便に取り付けることができ、電気配線などの後施工も容易で組立作業性に優れるカプセルサウナ用容器の提供。【解決手段】下部容器が、ＦＲＰ製で、略船底型に形成された周壁部と、周壁部の下部に延設された底部接地部と、周壁部の上端の開口部に覆設されたベッド部と、を有し、下部容器のベッド部が、遠赤外線等の電磁波を放射する放射体岩盤と、放射体岩盤を加熱する放射体加熱部と、が固設される１乃至複数の放射部固定凹部を備え、上部容器が、ＦＲＰ製で、外壁部と、内壁部と、を有し、長手方向の他端部に入浴者の頭部を露出させるための切り欠き部を備えた二重構造に形成され、上部容器の内壁部が、下部容器と上部容器で囲まれる入浴部を加熱する入浴部加熱部が配設される加熱部固定孔部を備えている。【選択図】図１
2010125201.tif 000002
【特許請求の範囲】
【請求項１】
下部容器と、前記下部容器の長手方向の一端部に回動自在に保持され前記下部容器の上方に開閉自在に覆設された上部容器と、を有するカプセルサウナ用容器であって、
前記下部容器が、ＦＲＰ製で、略船底型に形成された周壁部と、前記周壁部の下部に延設された底部接地部と、前記周壁部の上端の開口部に覆設されたベッド部と、を有し、前記下部容器の前記ベッド部が、遠赤外線等の電磁波を放射する放射体岩盤と、前記放射体岩盤を加熱する放射体加熱部と、が固設される１乃至複数の放射部固定凹部を備え、前記上部容器が、ＦＲＰ製で、外壁部と、内壁部と、を有し、長手方向の他端部に入浴者の頭部を露出させるための切り欠き部を備えた二重構造に形成され、前記上部容器の前記内壁部が、前記下部容器と前記上部容器で囲まれる入浴部を加熱する入浴部加熱部が配設される加熱部固定孔部を備えていることを特徴とするカプセルサウナ用容器。
【請求項２】
前記下部容器の前記ベッド部に形成された前記放射部固定凹部の少なくとも１つの底部に穿設された作業用貫通孔を備えていることを特徴とする請求項１に記載のカプセルサウナ用容器。
【請求項３】
前記下部容器と前記上部容器の前記一端部を着脱自在に保持する回動保持部が、前記下部容器の前記ベッド部の端部上面と前記上部容器の前記内壁部の端部表面との間に介装される蝶番と、前記下部容器の前記ベッド部の裏面側と前記上部容器の前記内壁部の裏面側とを連結するガススプリングと、を備えていることを特徴とする請求項１又は２に記載のカプセルサウナ用容器。
【請求項４】
前記上部容器の前記切り欠き部の上部から斜め上方に突出して形成された操作部取付け部を備えていることを特徴とする請求項１乃至３の内いずれか１項に記載のカプセルサウナ用容器。
【請求項５】
請求項１乃至４の内いずれか１項に記載のカプセルサウナ用容器と、前記下部容器の前記ベッド部に形成された前記放射部固定凹部に敷設された放射体加熱部と、前記放射体加熱部の上部に固設された放射体岩盤と、前記上部容器の前記内壁部に形成された前記加熱部固定孔部に配設された入浴部加熱部と、を備えていることを特徴とするカプセルサウナ。
【請求項６】
前記放射部固定凹部の少なくとも１つの底部に前記放射体加熱部を挟んで前記放射体岩盤と対向配置された温度検出用岩盤と、前記温度検出用岩盤の温度を検出する温度センサと、を有する温度検出部を備えていることを特徴とする請求項５に記載のカプセルサウナ。
【請求項７】
前記上部容器の前記外壁部と前記内壁部との間で少なくとも前記入浴部加熱部の裏面側に配設された断熱材を備えていることを特徴とする請求項５又は６に記載のカプセルサウナ。
【発明の詳細な説明】
【技術分野】
【０００１】
本発明は、個人の家或いはホテル等の既存の施設に設置される遠赤外線効果と岩盤浴効果を利用したカプセルサウナに用いられる量産性に優れたカプセルサウナ用容器及びそれを用いたカプセルサウナに関するものである。
【背景技術】
【０００２】
近年、遠赤外線を放射することができる礫岩ホルンヘルス（天照石）、ラドン鉱石、長石、電気石（トルマリン石）、ラジウム鉱石、麦飯石、花崗岩等の自然鉱石の岩盤を利用した岩盤浴施設が人気を博している。
こうした背景をうけて、岩盤浴施設ではなく自宅で岩盤浴やサウナを楽しみたいというニーズや、個室感覚で楽しみたいというニーズ、ホテル等の施設内に低予算で岩盤浴を導入したいというニーズ、高齢者や体の不自由な人でも自力で気軽に入浴したいというニーズが高まっており、個人用のサウナ（岩盤浴）室が検討されている。
例えば、（特許文献１）には、本体の上側に設けられる岩盤と、岩盤を加熱する加熱部と、内側を昇温する加熱部を有し、岩盤上に横臥する利用者を被覆可能に設けられるドームとを備える岩盤浴装置が開示されている
（特許文献２）には、岩盤を敷設した領域の少なくとも一部を覆うドーム型の保温カバーを設けると共に、当該保温カバーの端部をベッド本体に揺動可能に付設して開閉するように構成した岩盤浴ベッドが開示されている
【特許文献１】特開２００８−１３２０９７号公報
【特許文献２】実用新案登録第３１３７９７９号公報
【発明の開示】
【発明が解決しようとする課題】
【０００３】
しかしながら上記従来の技術は、以下のような課題を有していた。
（１）（特許文献１）では、略半円筒形の外側ドームが、後側が有底の略半円筒形である内側ドーム上に重なるように配置され、内側ドーム、外側ドームの各々内側には内周面に沿って遠赤外線放射材が設けられ、遠赤外線放射材の背面側には平面ヒーターの加熱部が配設されている。これにより、ドーム本体と遠赤外線放射材及び平面ヒーターが一体化されており、平面ヒーターに不具合が生じた場合に、平面ヒーターのみを取り外したり、交換したりすることが困難であり、メンテナンス性、取扱い性に欠けるという課題を有していた。
また、コントローラが本体の底板の下側に設けられているので、利用者が岩盤上に横臥した状態ではコントローラを操作することが困難であり、使用性に欠けるという課題を有していた。
（２）（特許文献２）には、ドーム型の保温カバーをＦＲＰ樹脂等で成形することが記載されているが、保温カバーの内面にリボン状発熱体から成る保温用ヒータが付設されているだけであり、断熱性などが検討されていないため、内部を十分に保温することができず、保温用ヒータの熱が保温カバーの外表面に伝達して温度が上昇し易く、取扱い性に欠けるという課題を有していた。
また、岩盤用ヒータを操作するための操作部が仰臥台の側部に設けられているので、利用者（岩盤浴サービス利用者）がベッド本体に仰臥した状態では操作部を直接、目視することが困難であり、操作し難く、使用性に欠けるという課題を有していた。
（３）（特許文献１）、（特許文献２）共に、ドームや保温カバーを本体に対して取り外し可能にすることについて検討されておらず、マンションやアパート等の入口が狭い場所へ搬入することが困難であり、設置自在性に欠けるという課題を有していた。
【０００４】
本発明は上記従来の課題を解決するもので、軽量で保温性、量産性に優れ、放射体岩盤や放射体加熱部などを後から簡便に取り付けることができ、電気配線などの後施工も容易で組立作業性に優れるカプセルサウナ用容器の提供、及びそれを用いることにより、カプセルの外表面の温度上昇を抑えることができ、安全性に優れ、カプセルの内部を効率的に加熱、保温することができ、省エネルギー性に優れ、遠赤外線効果で体全体を効率的に温めることができ、健康促進効果に優れ、個人で気軽に利用することができる設置自在性に優れたカプセルサウナの提供を目的とする。
【課題を解決するための手段】
【０００５】
上記従来の課題を解決するために本発明のカプセルサウナ用容器及びそれを用いたカプセルサウナは、以下の構成を有している。
本発明の請求項１に記載のカプセルサウナ用容器は、下部容器と、前記下部容器の長手方向の一端部に回動自在に保持され前記下部容器の上方に開閉自在に覆設された上部容器と、を有するカプセルサウナ用容器であって、前記下部容器が、ＦＲＰ製で、略船底型に形成された周壁部と、前記周壁部の下部に延設された底部接地部と、前記周壁部の上端の開口部に覆設されたベッド部と、を有し、前記下部容器の前記ベッド部が、遠赤外線等の電磁波を放射する放射体岩盤と、前記放射体岩盤を加熱する放射体加熱部と、が固設される１乃至複数の放射部固定凹部を備え、前記上部容器が、ＦＲＰ製で、外壁部と、内壁部と、を有し、長手方向の他端部に入浴者の頭部を露出させるための切り欠き部を備えた二重構造に形成され、前記上部容器の前記内壁部が、前記下部容器と前記上部容器で囲まれる入浴部を加熱する入浴部加熱部が配設される加熱部固定孔部を備えた構成を有している。
この構成により、以下のような作用が得られる。
（１）下部容器がＦＲＰ製で、略船底型に形成された周壁部の下部に延設された底部接地部を有するので、設置場所に載置するだけで据え付けることができ、設置安定性、耐久性に優れる。
（２）下部容器が、略船底型に形成された周壁部と、周壁部の上端の開口部に覆設されたベッド部と、を有するので、下部容器を中空状に形成して軽量化を図ることができ、量産性、搬送性に優れると共に、内部に電気配線や電源などを収容することができ、外部に余分な突起や出っ張りなどがなく、省スペース性、取扱い性に優れる。
（３）下部容器のベッド部が、遠赤外線等の電磁波を放射する放射体岩盤と、放射体岩盤を加熱する放射体加熱部と、が固設される１乃至複数の放射部固定凹部を備えているので、後から放射体岩盤や放射体加熱部を嵌合するだけで、位置決め作業を行うことなく、簡便かつ確実に固定することができ、組立作業性に優れる。
（４）上部容器がＦＲＰ製で、外壁部と、内壁部と、を有し、二重構造に形成されているので、耐久性、保温性に優れる。
（５）上部容器が、長手方向の他端部に入浴者の頭部を露出させるための切り欠き部を備えているので、入浴者が下部容器のベッド部に仰臥又は横臥した状態で、息苦しさや圧迫感などを感じ難く、リラックス性、使用性に優れる。
（６）上部容器の内壁部が、下部容器と上部容器で囲まれる入浴部を加熱する入浴部加熱部が配設される加熱部固定孔部を備えているので、後から簡便かつ確実に入浴部加熱部を固定することができ、組立作業性に優れると共に、必要に応じて容易に入浴部加熱部を着脱することができ、メンテナンス性、取扱い性に優れる。
（７）上部容器の内壁部に加熱部固定孔部が形成されていることにより、後から上部容器の中空部に断熱材を詰めることができ、組立作業性に優れる。
【０００６】
ここで、上部容器は、下部容器の長手方向の一端部に回動自在に保持されるが、入浴者の足先側で回動自在に保持されるようにすることで、上部容器を上方に跳ね上げるようにして、入浴者の頭部側を大きく開放することができ、入浴者の出入りが容易で、使用性に優れる。また、これにより、上部容器の構造を簡素化できると共に、カプセルサウナを設置する際に、前後や左右に上部容器を開閉するためのスペースが不要で、設置床面積を抑えることができ、施設等においては、複数のカプセルサウナを隣接して設置することもできる。
上部容器や下部容器の要部は木や金属等で形成されインサートや接着等で一体化された補強部材で補強することが好ましい。耐久性を向上させて、変形や破損などの発生を防止するためである。特に、入浴者の体重がかかる下部容器のベッド部の裏面に、ベッド部の長手方向と平行方向や直交方向にリブ状の補強部材を配設することにより、確実に入浴者の体重を支持することができ、変形を効果的に防止することができる。また、上部容器と下部容器を回動自在に保持する端部には荷重が集中し易いので、放射状や格子状などに補強部材を配設することにより、確実に補強することができ、信頼性に優れる。
【０００７】
上部容器の内壁部に予め入浴部加熱部の形状に合わせて加熱部固定孔部を形成すると共に、その外周に固定用の雄螺子挿通孔を形成し、内壁部の裏面側に雌螺子部材をインサートしておくことにより、後から入浴部加熱部を嵌合するだけで、位置決めなどを行う必要がなく、ねじ止めにより簡便に固定することができる。必要に応じて入浴部加熱部を容易に着脱することができ、着脱作業性、メンテナンス性に優れ、好ましい。
放射部固定凹部の側壁部などに電気配線取出孔を形成しておけば、放射体加熱部に容易に電気接続することができ、組立作業性に優れる。また、放射部固定凹部の強度低下を防ぐことができ、放射部固定凹部の底部で放射体岩盤及び放射体加熱部を確実に支持することができる。
放射部固定凹部の大きさ、数、配置は、適宜、選択することができるが、入浴者の肩や背中、腰部、臀部、太腿、脹ら脛等の大きさや位置に合うように配置することが好ましい。尚、１つの放射部固定凹部の中に複数の放射体岩盤を並べて配置してもよいし、複数の放射部固定凹部の中に１つずつ放射体岩盤を配置してもよい。
【０００８】
下部容器の周壁部とベッド部との間や上部容器の外壁部と内壁部との間に形成される中空部には、断熱材を配設することが好ましい。入浴部内の熱が下部容器の周壁部や上部容器の外壁部へ逃げ難く、効率よく入浴部内を加熱することができ、省エネルギー性に優れるためである。断熱材としては、ロックウールやグラスウール、耐火性を有する発泡プラスチック系などの断熱性の高い材料が好適に用いられる。
下部容器の周壁部の前後や両側部には、手掛け用凹部を形成することが好ましい。これにより、カプセルサウナを搬送する際に、手掛け用凹部に手を掛けてカプセルサウナを容易に持ち上げることができ、搬送性、取扱い性に優れる。
下部容器のベッド部や上部容器の内壁部のように人が触れる箇所の表面にスキン層を形成することにより、表面が滑らかになり、使用性に優れる。ＦＲＰ製の下部容器及び上部容器は、所望の色に着色することや、マーブル模様などの装飾を施すことができ、装飾性に優れる。また、加工が容易で、後から孔あけ加工等を行うことができるので、下部容器のベッド部に排水口を形成し、下部容器の中空部に排水用の配管を追加することや上部容器の内壁部に殺菌や脱臭のためのオゾン発生器や紫外線照射器などを固定するための取り付け孔を追加することができる。このとき、下部容器及び上部容器が二重構造に形成されているので、内側のベッド部や内壁部に孔あけ加工等を行っても、外部から見えることがなく、加工及び設計の自在性、美感性に優れる。
【０００９】
本発明の請求項２に記載の発明は、請求項１に記載のカプセルサウナ用容器であって、前記下部容器の前記ベッド部に形成された前記放射部固定凹部の少なくとも１つの底部に穿設された作業用貫通孔を備えた構成を有している。
この構成により、請求項１で得られる作用に加え、以下のような作用が得られる。
（１）下部容器のベッド部に形成された放射部固定凹部の少なくとも１つの底部に穿設された作業用貫通孔を有することにより、放射体加熱部に接続された電気配線を取回したり、下部容器の中空部に断熱材を詰めたりすることができ、組立作業性に優れる。
（２）下部容器のベッド部に作業用貫通孔が形成されているので、下部容器の周壁部に作業用貫通孔を形成する必要がなく、下部容器の耐久性、量産性に優れる。
（３）作業用貫通孔が、放射部固定凹部の底部に穿設されているので、放射部固定凹部に放射体加熱部や放射体岩盤を固設するだけで作業用貫通孔を塞ぐことができ、別途、作業用貫通孔を塞ぐ部材を用意する必要や作業用貫通孔を塞ぐ作業を行う必要がなく、施工性に優れる。
ここで、作業用貫通孔の数や形状は、適宜、選択することができる。
【００１０】
本発明の請求項３に記載の発明は、請求項１又は２に記載のカプセルサウナ用容器であって、前記下部容器と前記上部容器の前記一端部を着脱自在に保持する回動保持部が、前記下部容器の前記ベッド部の端部上面と前記上部容器の前記内壁部の端部表面との間に介装される蝶番と、前記下部容器の前記ベッド部の裏面側と前記上部容器の前記内壁部の裏面側とを連結するガススプリングと、を備えた構成を有している。
この構成により、請求項１又は２で得られる作用に加え、以下のような作用が得られる。
（１）下部容器と上部容器の一端部を着脱自在に保持する回動保持部を有することにより、必要に応じて下部容器と上部容器を分離して搬送することができ、搬送作業性に優れ、特にマンションやアパート等の入口が狭い場所へも確実に搬入することができ、設置自在性に優れる。
（２）回動保持部が、下部容器のベッド部の端部上面と上部容器の内壁部の端部表面との間に介装される蝶番を有することにより、下部容器に対して上部容器を確実に回動させることができ、動作安定性に優れる。
（３）回動保持部が、下部容器のベッド部の裏面側と上部容器の内壁部の裏面側とを連結するガススプリングを有することにより、小さな力で簡単に上部容器を回動させて開閉作業を行うことができ、省力性に優れる。
【００１１】
ここで、回動保持部には、蝶番が好適に用いられる。回動保持部をねじ止めで固定すれば、下部容器と上部容器を容易に着脱することができる。
このとき、前述の作業用貫通孔を回動保持部に最も近い位置の放射部固定凹部の底部に穿設しておけば、作業用貫通孔から回動保持部の着脱作業を簡便に行うことができ、作業性に優れる。
ガススプリングの両端部はそれぞれ下部容器のベッド部の裏面側と上部容器の内壁部の裏面側にねじ止めなどにより着脱自在に固定されることが好ましい。組立て及び分解の作業性に優れ、必要に応じて簡便に下部容器と上部容器を着脱できるためである。
このとき、ガススプリングの両端部が連結される下部容器のベッド部の裏面側と上部容器の内壁部の裏面側に、それぞれ前述の補強部材を配設し、この補強部材とガススプリングを連結することにより、下部容器と上部容器を確実かつ強固に固定して、繰り返し使用することができ、耐久性、使用性に優れる。
尚、ガススプリングの両端部にボールジョイント等のフレキシブルジョイントを配設し、回動自在に保持することにより、上部容器の回動に伴ってガススプリングがスムーズに伸縮し、上部容器の開閉動作の確実性、安定性に優れる。
【００１２】
本発明の請求項４に記載の発明は、請求項１乃至３の内いずれか１項に記載のカプセルサウナ用容器であって、前記上部容器の前記切り欠き部の上部から斜め上方に突出して形成された操作部取付け部を備えた構成を有している。
この構成により、請求項１乃至３の内いずれか１項で得られる作用に加え、以下のような作用が得られる。
（１）上部容器の切り欠き部の上部から斜め上方に突出して形成された操作部取付け部を有することにより、入浴者が下部容器のベッド部に仰臥又は横臥した状態で直視することが可能な位置に操作部を配置することができ、取扱い性に優れる。
【００１３】
ここで、操作部取付け部の傾斜角度は水平面に対して３０度〜７５度、好ましくは４５度〜７５度に形成することが好ましい。操作部取付け部の表面と水平面とのなす角度が、４５度より小さくなるにつれ、操作部の表面が入浴者の顔面に近づき、圧迫感を感じ易くなると共に、外部から操作部が見づらくなる傾向があり、７５度より大きくなるにつれ、操作部の表面が直視し難くなり、視認性が低下し易くなる傾向が見られる。特に、３０度より小さくなると、入浴者からも外部からも操作部の表面を確認することが困難になり、好ましくない。４５度〜７５度に形成することにより、外部からも温度や湿度等の状態設定が確認し易く、取扱い性に優れる。
上部容器の内壁部に予め操作部取付け部の形状に合わせて操作部取付け孔部を形成すると共に、その外周に固定用の雄螺子挿通孔を形成し、内壁部の裏面側に雌螺子部材をインサートしておくことにより、後から操作部取付け部を嵌合するだけで、位置決めなどを行う必要がなく、ねじ止めにより簡便に固定することができる。
【００１４】
本発明の請求項５に記載のカプセルサウナは、請求項１乃至４の内いずれか１項に記載のカプセルサウナ用容器と、前記下部容器の前記ベッド部に形成された前記放射部固定凹部に敷設された放射体加熱部と、前記放射体加熱部の上部に固設された放射体岩盤と、前記上部容器の前記内壁部に形成された前記加熱部固定孔部に配設された入浴部加熱部と、を備えている構成を有している。
この構成により、以下のような作用が得られる。
（１）下部容器のベッド部に形成された放射部固定凹部に敷設された放射体加熱部と、放射体加熱部の上部に固設された放射体岩盤を有することにより、放射体加熱部の熱と放射体岩盤から発生する遠赤外線の両方で、入浴者を効率的に温めることができ、遠赤外線による発汗性、健康促進効果に優れる。
（２）上部容器の内壁部に形成された加熱部固定孔部に配設された入浴部加熱部を有することにより、入浴部加熱部の熱で入浴部の内部を確実に加熱することができ、放射体岩盤と共に入浴者を全方向から斑無く効率的に温めることができ、省エネルギー性、加熱の効率性に優れる。
（３）上部容器に形成された傾斜状の操作部取付け部に操作部を配設することにより、入浴者が下部容器のベッド部に仰臥又は横臥した状態で操作部を直視することができ、操作部を簡便かつ確実に操作することができ、誤操作が発生し難く、操作性に優れる。
【００１５】
ここで、放射体岩盤に使用される放射体の材料としては、ラドン鉱石、長石、電気石（トルマリン石）、ラジウム鉱石、麦飯石、花崗岩、天寿石等の自然鉱石、石英、シリカ、人工セラミックスなどが好適に用いられる。
放射体岩盤としては、前述の放射体の岩盤を平板状に切断研磨したものや、前述の放射体を破砕して得られた破砕物をセメント等と混和したり焼結したりして岩盤状やタイル状に成形したものなどが好適に用いられる。
放射体加熱部としては、電熱式の面状ヒータが好適に用いられる。軽量で嵩張らず、省スペース性、加工性及び可撓性に優れ、生産性を向上できるためである。
入浴部加熱部としては、遠赤外線ヒータが好適に用いられる。特に、ケースに反射板を取付けた場合、遠赤外線ヒータからの熱を反射させて入浴者へ適切に伝達させることができ、省エネルギー性、加熱の効率性に優れる。
【００１６】
放射部固定凹部に放射体岩盤及び放射体加熱部を固設する場合、まず放射部固定凹部の底部に放射体加熱部を敷設し、その上に放射体岩盤を載置して、周囲をコーキングで固定することが好ましい。放射体岩盤の周囲をコーキングで固定することにより、放射体岩盤を確実に固定できると共に、放射部固定凹部と放射体岩盤との隙間から入浴者の汗などの水分が浸入することを確実に防止することができ、信頼性に優れる。
入浴部内の温度は３５℃〜６０℃に設定するのが好ましい。入浴部内の温度が３５℃より低くなるにつれ温熱効果、遠赤外線効果が不足し、発汗作用が不十分となって岩盤浴効果が得られ難くなる傾向があり、６０℃より高くなるにつれ高齢者や子供、女性など高温に弱い入浴者の利用が困難となって汎用性に欠ける傾向があり、いずれも好ましくない。
【００１７】
操作部は、放射体加熱部や入浴部加熱部の加熱温度を設定することができる。また、操作部が放射体加熱部や入浴部加熱部の加熱温度を表示する表示部を有することにより、加熱温度を確認しながら簡便かつ確実に加熱温度を設定することができ、操作性に優れる。
尚、操作部には、放射体加熱部や入浴部加熱部による加熱時間を設定するタイマーを設けることが好ましい。タイマーによって所定時間経過後に自動的に放射体加熱部や入浴部加熱部の加熱を停止させることができ、電源の切り忘れ等による過剰な加熱を確実に防止することができ、安全性に優れるためである。
【００１８】
本発明の請求項６に記載の発明は、請求項５に記載のカプセルサウナであって、前記放射部固定凹部の少なくとも１つの底部に前記放射体加熱部を挟んで前記放射体岩盤と対向配置された温度検出用岩盤と、前記温度検出用岩盤の温度を検出する温度センサと、を有する温度検出部を備えた構成を有している。
この構成により、請求項５で得られる作用に加え、以下のような作用が得られる。
（１）放射部固定凹部の少なくとも１つの底部に放射体加熱部を挟んで放射体岩盤と対向配置された温度検出用岩盤と、温度検出用岩盤の温度を検出する温度センサと、を有する温度検出部を備えることにより、放射体岩盤とほぼ同等の温度に加熱された温度検出用岩盤の温度を検出することができるので、放射体岩盤を精度よく所望の温度に加熱することができ、温度制御の信頼性、加熱の効率性に優れる。
ここで、温度検出用岩盤は、放射体岩盤とほぼ同等の寸法形状に形成することが好ましい。両者の熱容量を等しくし、放射体岩盤の正確な温度を検出するためである。
【００１９】
本発明の請求項７に記載の発明は、請求項５又は６に記載のカプセルサウナであって、前記上部容器の前記外壁部と前記内壁部との間で少なくとも前記入浴部加熱部の裏面側に配設された断熱材を備えた構成を有している。
この構成により、請求項５又は６で得られる作用に加え、以下のような作用が得られる。
（１）断熱材が、上部容器の外壁部と内壁部との間で少なくとも入浴部加熱部の裏面側に配設されていることにより、入浴部加熱部の熱が上部容器の外壁部側に伝達することを確実に防止することができ、断熱の信頼性に優れる。
ここで、断熱材の材質は、請求項１で説明した通りである。尚、断熱材は加熱部固定孔部から詰めることができる。
特に、上部容器の外壁部と内壁部との間に全体的に断熱材を配設した場合、上部容器の断熱性、保温性を向上させ、放射体加熱部や入浴部加熱部の加熱温度を低く抑えることができ、加熱の効率性、省エネルギー性に優れると共に、上部容器の外壁部の温度上昇を確実に防ぐことができ、安全性に優れる。
【発明の効果】
【００２０】
以上のように、本発明のカプセルサウナ用容器及びそれを用いたカプセルサウナによれば、以下のような有利な効果が得られる。
請求項１に記載の発明によれば、以下のような効果を有する。
（１）下部容器のベッド部に１乃至複数の放射部固定凹部が予め形成されていることにより、位置決め作業などを行うことなく、後から簡便かつ確実に放射体岩盤や放射体加熱部を固定してカプセルサウナの組立作業を行うことができる量産性、組立作業性に優れたカプセルサウナ用容器を提供することができる。
（２）上部容器の内壁部に加熱部固定孔部が予め形成されていることにより、後から簡便かつ確実に入浴部加熱部を固定してカプセルサウナの組立作業を行うことができ、量産性、組立作業性に優れると共に、必要に応じて容易に入浴部加熱部を着脱することができるメンテナンス性、取扱い性に優れたカプセルサウナ用容器を提供することができる。
【００２１】
請求項２に記載の発明によれば、請求項１に記載の効果に加えて以下のような有利な効果が得られる。
（１）下部容器のベッド部に形成された作業用貫通孔を利用して放射体加熱部に接続された電気配線を取回したり、下部容器の中空部に断熱材を詰めたりすることができ、組立作業性に優れると共に、下部容器の周壁部に作業用貫通孔を形成する必要がなく、加工作業も不要で、下部容器の耐久性、量産性に優れたカプセルサウナ用容器を提供することができる。
【００２２】
請求項３に記載の発明によれば、請求項１又は２に記載の効果に加えて以下のような有利な効果が得られる。
（１）下部容器と上部容器の一端部が回動保持部によって着脱自在に保持されていることにより、必要に応じて下部容器と上部容器を分離して搬送することができ、搬送作業性に優れ、マンションやアパート等の入口が狭い場所へも搬入して組立を行うことができるカプセルサウナの設置自在性、組立作業性に優れたカプセルサウナ用容器を提供することができる。
【００２３】
請求項４に記載の発明によれば、請求項１乃至３の内いずれか１項に記載の効果に加えて以下のような有利な効果が得られる。
（１）上部容器の切り欠き部の上部から斜め上方に突出して操作部取付け部が形成されていることにより、入浴者が下部容器のベッド部に仰臥又は横臥した状態で直視することが可能な位置に操作部を配置することができる取扱い性、組立作業性に優れたカプセルサウナ用容器を提供することができる。
【００２４】
請求項５に記載の発明によれば、以下のような有利な効果が得られる。
（１）下部容器のベッド部に形成された放射部固定凹部に敷設された放射体加熱部と、放射体加熱部の上部に固設された放射体岩盤と、上部容器の内壁部に形成された加熱部固定孔部に配設された入浴部加熱部を有することにより、放射体加熱部及び入浴部加熱部の熱と放射体岩盤から発生する遠赤外線の両方で、入浴者を全方向から斑無く効率的に温めることができ、省エネルギー性、加熱の効率性に優れ、遠赤外線による発汗性、健康促進効果に優れたカプセルサウナを提供することができる。
【００２５】
請求項６に記載の発明によれば、請求項５に記載の効果に加えて以下のような有利な効果が得られる。
（１）温度検出部が、放射体加熱部を挟んで放射体岩盤と対向配置された温度検出用岩盤と、温度検出用岩盤の温度を検出する温度センサを有するので、放射体岩盤とほぼ同等の温度に加熱された温度検出用岩盤の温度に基づいて確実に温度制御を行うことができ、温度検出の信頼性、加熱の効率性に優れたカプセルサウナを提供することができる。
【００２６】
請求項７に記載の発明によれば、請求項５又は６に記載の効果に加えて以下のような有利な効果が得られる。
（１）入浴部加熱部の裏面側と上部容器の外壁部との間に配設される断熱材により、入浴部加熱部の熱が上部容器の外壁部側に伝達することを確実に防止することができる断熱の信頼性に優れたカプセルサウナを提供することができる。
【発明を実施するための最良の形態】
【００２７】
以下、本発明の実施の形態におけるカプセルサウナ用容器及びそれを用いたカプセルサウナについて、図面を参照しながら説明する。
（実施の形態１）
図１（ａ）は実施の形態１におけるカプセルサウナ用容器の下部容器を示す模式平面図であり、図１（ｂ）は図１（ａ）のＡ−Ａ線矢視断面模式図である。
図１中、１は実施の形態１におけるＦＲＰ製のカプセルサウナ用容器の下部容器、２は略船底型に形成された下部容器１の周壁部、３は周壁部２の下部に延設された下部容器１の底部接地部、４は表面に肌触りが良いようにスキン層等が形成され周壁部２の上端の開口部２ａに覆設された下部容器１のベッド部、５ａ〜５ｄは遠赤外線等の電磁波を放射する放射体岩盤と放射体岩盤を加熱する放射体加熱部が固設されるベッド部４の放射部固定凹部、５ｅはベッド部４に仰臥又は横臥する入浴者の足元側の放射部固定凹部５ｄの底部に形成され温度検出用岩盤が配設される温度検出用凹部、６ａは下部容器１の長手方向の中央部でベッド部４に形成された放射部固定凹部５ｂの底部に穿設された円形状の第１の作業用貫通孔、６ｂは温度検出用凹部５ｅの底部に穿設された矩形状の第２の作業用貫通孔、７ａは下部容器１と後述する上部容器を回動自在に保持する蝶番を固定するための４つの蝶番固定孔、７ｂは下部容器１と後述する上部容器を連結するガススプリングが挿通される２つのガススプリング挿通孔、８は放射部固定凹部５ａ〜５ｄに敷設される放射体加熱部を制御するための制御用ケーブル等が挿通される２つのケーブル挿通孔、９はベッド部４の裏面側にベッド部４の長手方向と直交して所定間隔で配設されたリブ状の補強部材、１０は下部容器１の長手方向の端部でベッド部４の裏面側に立設されたガススプリング固定具、１１は補強部材９に渡設されガススプリング固定具１０の一端側を支持する支持部材である。
【００２８】
図２（ａ）は実施の形態１におけるカプセルサウナ用容器の上部容器を示す模式底面図であり、図２（ｂ）は図２（ａ）のＢ−Ｂ線矢視断面模式図である。
図２中、１５は実施の形態１におけるＦＲＰ製のカプセルサウナ用容器の上部容器、１６は上部容器１５の外壁部、１７は表面に肌触りが良いようにスキン層等が形成された上部容器１５の内壁部、１８は上部容器１５の長手方向の端部に形成され下部容器１のベッド部４に仰臥又は横臥する入浴者の頭部を外部に露出させるための切り欠き部、１９は上部容器１５の切り欠き部１８の上部から斜め上方に突出して形成された傾斜状の操作部取付け部、１９ａは操作部取付け部１９に穿設された２つの操作部取付け孔、２０は上部容器１５の内壁部１７に形成され下部容器１と上部容器１５で囲まれる入浴部を加熱するための入浴部加熱部が配設される４つの加熱部固定孔部、２１は加熱部固定孔部２０への入浴部加熱部の固定作業などを行うための上部作業用貫通孔、２２ａは下部容器１と上部容器１５を回動自在に保持する蝶番を固定するための６つの蝶番固定孔、２２ｂは下部容器１と上部容器１５を連結するガススプリングが挿通される２つのガススプリング挿通孔、２３は操作部取付け孔１９ａに配設される操作部や加熱部固定孔部２０に配設される入浴部加熱部に電気接続するための電気ケーブル等が挿通される２つのケーブル挿通孔、２４は内壁部１７の裏面側の端部に放射状に配設された補強部材、２５は上部容器１５の長手方向の端部で内壁部１７の裏面側に立設されたガススプリング固定具である。
【００２９】
本実施の形態では、ベッド部４に４つの放射部固定凹部５ａ〜５ｄを形成したが、放射部固定凹部５ａ〜５ｄの大きさ、数、配置は、適宜、選択することができる。特に、入浴者の肩や背中、腰部、臀部、太腿、脹ら脛等の大きさや位置に合うように配置した場合、遠赤外線効果を高めることができ、好ましい。
また、本実施の形態では、２つの作業用貫通孔６ａ，６ｂを形成したが、作業用貫通孔６ａ，６ｂの数や形状は、適宜、選択することができる。尚、本実施の形態のように、蝶番を固定するための蝶番固定孔７ａやガススプリングが挿通されるガススプリング挿通孔７ｂに最も近い放射部固定凹部５ｄの位置に作業用貫通孔６ｂを穿設すれば、作業用貫通孔６ｂから蝶番やガススプリングの着脱作業を簡便に行うことができ、作業性に優れる。
【００３０】
上部容器１５は、入浴者の足先側で下部容器１に回動自在に保持されるようにすることで、上部容器１５を上方に跳ね上げるようにして、入浴者の頭部側を大きく開放することができ、入浴者の出入りが容易で、使用性に優れる。また、これにより、上部容器１５の構造を簡素化できると共に、カプセルサウナを設置する際に、前後や左右に上部容器１５を開閉するためのスペースが不要で、設置床面積を抑えることができ、施設等においては、複数のカプセルサウナを隣接して設置することもできる。
尚、上部容器１５の内壁部１７には、入浴者の頭部側に把手を配設することが好ましい。これにより、入浴者がカプセルサウナ用容器の内側から簡便に上部容器１５を開閉して出入りすることができ、使用性に優れる。
下部容器１のベッド部４や上部容器１５の内壁部１７の表面には、スキン層を形成する代わりに、樹脂層をコーティング又は積層してもよい。
【００３１】
入浴者の体重がかかる下部容器１のベッド部４の裏面に、ベッド部４の長手方向と直交方向に複数のリブ状の補強部材９を配設した。ベッド部４の長手方向と平行方向にも補強部材を配設して格子状に形成してもよいが、補強部材９をインサートしたり、接着剤等で覆ったりすることにより、リブ効果を高めることができ、入浴者の体重を確実に支持して変形を効果的に防止することができる。また、補強部材９の数を低減して下部容器１の軽量化を図ることができる。
ガススプリングの両端部はそれぞれ下部容器１のベッド部４の裏面側と上部容器１５の内壁部１６の裏面側でガススプリング固定具１０，２５と固定される。これにより、必要に応じて下部容器１と上部容器１５を分離させた状態で、搬送、搬入し、搬入先で簡便に組立て作業を行うことができ、搬送性、組立作業性、設置自在性に優れる。尚、ガススプリングとガススプリング固定具１０，２５は、ボールジョイント等のフレキシブルジョイントを用いて連結することにより、上部容器１５の回動時にガススプリングがスムーズに伸縮し、上部容器１５の開閉動作の確実性、安定性に優れる。
尚、下部容器１に配設されるガススプリング固定具１０は、支持部材１１を介して近傍の補強部材９と連結固定し、上部容器１５に配設されるガススプリング固定具２５は、上部容器１５の内壁部１７の裏面側端部に配設された補強部材２４と連結固定した。これにより、下部容器１と上部容器１５を強固に固定して、上部容器１５の荷重を確実に支持することができ、開閉動作の安定性に優れ、下部容器１や上部容器１５の変形や破損を効果的に防止することができ、耐久性に優れる。尚、補強部材２４も補強部材９と同様にインサート等することにより、強度を高めることができ、補強の確実性に優れる。
【００３２】
切り欠き部１８は入浴者の頭部よりも大きめに形成されており、操作部取付け部１９に取り付けられる操作部に手を伸ばして内部から簡便に操作することができる。尚、切り欠き部１８と入浴者の頭部との隙間から内部の熱が逃げるのを防止するために、切り欠き部１８の上端から、遠赤外線反射シートなどで形成されたカーテン状のカバーを垂設することが好ましい。カバーは面ファスナー等の固定手段により着脱自在とするか、ファスナー等により開閉自在とすることにより、容易に手を出し入れすることができる。尚、カバーの下端に入浴者の首周りに合わせて切り欠きを形成することにより、密閉性に優れる。
操作部取付け部１９の傾斜角度は水平面に対して３０度〜７５度、好ましくは４５度〜７５度に形成した。操作部取付け部１９の表面と水平面とのなす角度が、４５度より小さくなるにつれ、操作部の表面が入浴者の顔面に近づき、圧迫感を感じ易くなると共に、外部から操作部が見づらくなる傾向があり、７５度より大きくなるにつれ、操作部の表面が直視し難くなり、視認性が低下し易くなる傾向があることがわかったためである。尚、３０度より小さくなると、入浴者からも外部からも操作部の表面を確認することが困難になり、４５度〜７５度に形成することにより、外部からも容易に設定の確認や変更を行うことができ、操作性に優れる。
【００３３】
上部容器１５の内壁部１７に予め入浴部加熱部の形状に合わせて加熱部固定孔部２０を形成しておくことにより、入浴部加熱部を嵌合するだけで位置決めなどを行うことなく簡便に所定の位置に保持することができる。入浴部加熱部の外周をねじ止めなどの着脱自在な固定手段で固定すれば、入浴部加熱部を容易に着脱することができ、着脱作業性、メンテナンス性に優れ、好ましい。また、上部作業用貫通孔２１を有することにより、入浴部加熱部の着脱や電気接続などの作業を簡便に行うことができ、組立作業性に優れる。尚、上部作業用貫通孔２１は、作業時以外は蓋で閉塞する。
さらに、これらの加熱部固定孔部２０や上部作業用貫通孔２１を利用して、上部容器１５の外壁部１６と内壁部１７との間に形成される中空部に断熱材を詰めることができる。
尚、下部容器１の周壁部２の前後や両側部には、手掛け用凹部を形成することが好ましい。これにより、カプセルサウナを搬送する際に、手掛け用凹部に手を掛けてカプセルサウナを容易に持ち上げることができ、搬送性、取扱い性に優れる。
【００３４】
以上のように構成された実施の形態１におけるカプセルサウナ用容器を用いて形成されたカプセルサウナについて説明する。
図３（ａ）は実施の形態１におけるカプセルサウナ用容器を用いて形成されたカプセルサウナを示す側面図であり、図３（ｂ）は実施の形態１におけるカプセルサウナ用容器を用いて形成されたカプセルサウナを示す平面図であり、図４はカプセルサウナを示す全体斜視図である。
図３中、３０は実施の形態１におけるカプセルサウナ用容器を用いて形成されたカプセルサウナ、３１は下部容器１と上部容器１５で囲まれるカプセルサウナ３０の入浴部である。
図４中、３２ａ〜３２ｄは下部容器１のベッド部４に形成された放射部固定凹部５ａ〜５ｄ（図１参照）に固設された放射体岩盤、３３は上部容器１５の操作部取付け部１９に形成された操作部取付け孔１９ａ（図２参照）に配設されたカプセルサウナ３０の操作部、３４は上部容器１５の内壁部１７に形成された加熱部固定孔部２０（図２参照）に配設されたカプセルサウナ３０の入浴部加熱部、３５は下部容器１と上部容器１５の一端部を着脱自在に保持するカプセルサウナ３０の回動保持部である。
【００３５】
放射体岩盤３２ａ〜３２ｄは、遠赤外線等の電磁波を放射する放射体の岩盤を平板状に切断研磨したものや放射体を破砕して得られた破砕物をセメント等と混和したり焼結したりして岩盤状やタイル状に成形したものを用いた。尚、放射体の材料としては、ラドン鉱石、長石、電気石（トルマリン石）、ラジウム鉱石、麦飯石、花崗岩、天寿石等の自然鉱石、石英、シリカ、人工セラミックスなどを用いた。
本実施の形態では、複数の放射部固定凹部５ａ〜５ｄの中に１つずつ放射体岩盤を配置するようにしたが、１つの放射部固定凹部の中に複数の放射体岩盤を並べて配置してもよい。
尚、下部容器１及び上部容器１５の断熱性を向上させ、放射体岩盤３２ａ〜３２ｄからの熱や遠赤外線だけで十分なサウナ効果が得られる場合は、入浴部加熱部３４を設けなくてもよい。その場合、加熱部固定孔部２０に入浴部加熱部３４の代わりにカバー部材を覆設することにより、簡便に加熱部固定孔部２０を塞ぐことができ、保温性を維持することができる。また、入浴部加熱部３４の代わりにミストや蒸気発生器を取り付けてもよい。
【００３６】
次に、カプセルサウナの内部構造について説明する。
図５は図３（ｂ）のＣ−Ｃ線矢視断面模式図である。
図５中、３６は下部容器１のベッド部４に形成された放射部固定凹部５ａに敷設され放射体岩盤３２ａを加熱する面状ヒータを用いた放射体加熱部、３６ａは放射部固定凹部５ａの一側部に形成された電気配線取出孔５ｆを通して取り出された放射体加熱部３６の電気配線、３７は入浴部加熱部３４の裏面側と上部容器１５の外壁部１６との間に配設された断熱材である。
入浴部加熱部３４としては、遠赤外線ヒータを用いた。特に、ケースに反射板を取付けた場合、遠赤外線ヒータからの熱を反射させて入浴者へ適切に伝達させることができ、省エネルギー性、加熱の効率性に優れる。
放射体加熱部３６としては、電熱式の面状ヒータを用いた。軽量で嵩張らず、省スペース性、加工性及び可撓性に優れ、生産性を向上できるためである。
ここでは、放射体岩盤３２ａを通る断面（Ｃ−Ｃ断面）について説明したが、放射体岩盤３２ｂ，３２ｃを通る断面についても構成は同様である。
断熱材３７としては、ロックウールを用いたが、発泡プラスチック系などの耐火性、断熱性の高い材料を用いてもよい。
【００３７】
本実施の形態では、入浴部加熱部３４の裏面側と上部容器１５の外壁部１６との間に断熱材３７を配設したが、上部容器１５の外壁部１６と内壁部１７との間に全体的に断熱材３７を配設することにより、上部容器１５の断熱性、保温性を向上させ、放射体加熱部３６や入浴部加熱部３４の加熱温度を低く抑えることができ、加熱の効率性、省エネルギー性に優れると共に、上部容器１５の外壁部１６の温度上昇を確実に防ぐことができ、安全性に優れる。下部容器１の中空部にも上部容器１５と同様に断熱材を充填することにより、断熱性、保温性を高めることができる。特に、ベッド部４の裏面から放射体加熱部３６を覆うように断熱材を配設した場合、放射体加熱部３６の熱が外に逃げ難く、放射体岩盤３２ａを効率的に加熱することができ、加熱の効率性、省エネルギー性に優れる。尚、放射体加熱部３６の電気接続などの終了後、作業用貫通孔６ａ，６ｂから断熱材として発泡ウレタンを充填し、放射体加熱部３６で閉塞すれば、簡便かつ確実に断熱を行うことができ、施工性に優れる。
【００３８】
図６はカプセルサウナの温度検出部を示す要部断面模式図である。
図６中、３８はカプセルサウナ３０の温度検出部、３８ａは下部容器１のベッド部４の放射部固定凹部５ｄの底部に形成された温度検出用凹部５ｅに放射体加熱部３６を挟んで放射体岩盤３２ｄと対向配置された温度検出部３８の温度検出用岩盤、３８ｂは温度検出用凹部５ｅの底部に穿設された作業用貫通孔６ｂの位置で温度検出用岩盤３８ａの裏面に配設され温度検出用岩盤３８ａの温度を検出する温度検出部３８の温度センサである。
放射体加熱部３６の裏面側に温度検出用岩盤３８ａを介して温度センサ３８ｂが配設されていることにより、温度センサ３８ｂによりカプセルサウナ３０の内部と略同一条件で正確な温度を検出することができるので、温度センサ３８ｂで検出した温度検出用岩盤３８ａの温度を基に、放射体加熱部３６の加熱量を適正に制御して、放射体岩盤３２ａ〜３２ｄを所望の最適温度に加熱することができ、加熱の効率性に優れる。
本実施の形態では、温度検出部３８を放射体岩盤３２ｄの位置に配置したが、温度検出部３８は、放射体岩盤３２ａ〜３２ｄのどの位置に配置してもよい。
尚、放射体岩盤３２ａ〜３２ｄの周囲はコーキングで固定した。これにより、放射体岩盤３２ａ〜３２ｄを確実に固定できると共に、放射部固定凹部５ａ〜５ｄと放射体岩盤３２ａ〜３２ｄとの隙間から入浴者の汗などの水分が浸入することを確実に防止することができ、信頼性に優れる。
【００３９】
図７はカプセルサウナの回動保持部を示す要部模式斜視図である。
図７中、３９ａは下部容器１のベッド部４の端部上面４ａと上部容器１５の内壁部１７の端部表面１７ａとの間に介装された回動保持部３５の蝶番、３９ｂは下部容器１のベッド部４の裏面側と上部容器１５の内壁部１７の裏面側とを連結する回動保持部３５の２本のガススプリング、４０は操作部３３や入浴部加熱部３４に通電するための電気ケーブルや操作部３３と放射体加熱部３６，温度センサ３８ｂとを接続する制御用ケーブル等の各種のケーブルである。
蝶番３９ａにより、下部容器１に対して上部容器１５を回動自在に保持できると共に、ガススプリングを有することにより、小さな力で簡単に上部容器１５を回動させて開閉作業を行うことができ、省力性に優れる。
【００４０】
次に、カプセルサウナの使用方法について、説明する。
まず、図４において、入浴者は操作部３３を操作して入浴部加熱部３４や放射体加熱部３６の温度設定などを行う。このとき、操作部３３が４５度〜７５度に傾斜して形成されているので、最初の設定を外部から容易に行うことができ、操作性に優れる。
入浴部３１の内部や放射体岩盤３２ａ〜３２ｄが設定温度若しくはそれに近い温度まで温まったところで、上部容器１５を上方に持ち上げるように回動させて、下部容器１のベッド部４の上方を開放する。
入浴者はベッド部４の上に足を伸ばした状態で座り、上部容器１５を下方に下げながら、ベッド部４の上に横になり、上部容器１５を閉めた状態で切り欠き部１８からから頭を出す。
入浴部加熱部３４が遠赤外線により入浴部３１の内部及び入浴者の体を温めると共に、放射体加熱部３６が放射体岩盤３２ａ〜３２ｄを加熱し、遠赤外線等の電磁波を放射させ、入浴者の体を温める。
入浴部３１内の温度は３５℃〜６０℃に設定される。入浴部３１内の温度が３５℃より低くなるにつれ温熱効果、遠赤外線効果が不足し、発汗作用が不十分となって岩盤浴効果が得られ難くなる傾向があり、６０℃より高くなるにつれ高齢者や子供、女性など高温に弱い入浴者の利用が困難となって汎用性に欠ける傾向があることがわかったためである。
尚、入浴者は、頭部を露出させた状態で、操作部３３を直視して温度設定などを確認できるので、必要に応じて、切り欠き部１８から手を出して、操作部３３を操作し、入浴部加熱部３４や放射体加熱部３６の温度調整を行うことができる。
【００４１】
以上のように実施の形態１におけるカプセルサウナ用容器及びそれを用いたカプセルサウナは構成されているので、以下のような作用が得られる。
（１）下部容器がＦＲＰ製で、略船底型に形成された周壁部の下部に延設された底部接地部を有するので、設置場所に載置するだけで据え付けることができ、設置安定性、耐久性に優れる。
（２）下部容器が、略船底型に形成された周壁部と、周壁部の上端の開口部に覆設されたベッド部と、を有するので、下部容器を中空状に形成して軽量化を図ることができ、量産性、搬送性に優れると共に、内部に電気配線や電源などを収容することができ、外部に余分な突起や出っ張りなどがなく、省スペース性、取扱い性に優れる。
（３）下部容器のベッド部が、遠赤外線等の電磁波を放射する放射体岩盤と、放射体岩盤を加熱する放射体加熱部と、が固設される１乃至複数の放射部固定凹部を備えているので、後から放射体岩盤や放射体加熱部を嵌合するだけで、位置決め作業を行うことなく、簡便かつ確実に固定することができ、組立作業性に優れる。
（４）上部容器がＦＲＰ製で、外壁部と、内壁部と、を有し、二重構造に形成されているので、耐久性、保温性に優れる。
（５）上部容器が、長手方向の他端部に入浴者の頭部を露出させるための切り欠き部を備えているので、入浴者が下部容器のベッド部に仰臥又は横臥した状態で、息苦しさや圧迫感などを感じ難く、リラックス性、使用性に優れる。
（６）上部容器の内壁部が、下部容器と上部容器で囲まれる入浴部を加熱する入浴部加熱部が配設される加熱部固定孔部を備えているので、後から簡便かつ確実に入浴部加熱部を固定することができ、組立作業性に優れると共に、必要に応じて容易に入浴部加熱部を着脱することができ、メンテナンス性、取扱い性に優れる。
（７）上部容器の内壁部に加熱部固定孔部が形成されていることにより、後から上部容器の中空部に断熱材を詰めることができ、組立作業性に優れる。
（８）下部容器のベッド部に形成された放射部固定凹部の少なくとも１つの底部に穿設された作業用貫通孔を有することにより、放射体加熱部に接続された電気配線を取回したり、下部容器の中空部に断熱材を詰めたりすることができ、組立作業性に優れる。
（９）下部容器のベッド部に作業用貫通孔が形成されているので、下部容器の周壁部に作業用貫通孔を形成する必要がなく、下部容器の耐久性、量産性に優れる。
（１０）作業用貫通孔が、放射部固定凹部の底部に穿設されているので、放射部固定凹部に放射体加熱部や放射体岩盤を固設するだけで作業用貫通孔を塞ぐことができ、別途、作業用貫通孔を塞ぐ部材を用意する必要や作業用貫通孔を塞ぐ作業を行う必要がなく、施工性に優れる。
（１１）下部容器と上部容器の一端部を着脱自在に保持する回動保持部を有することにより、必要に応じて下部容器と上部容器を分離して搬送することができ、搬送作業性に優れ、特にマンションやアパート等の入口が狭い場所へも確実に搬入して、設置場所で簡便に組み立てることができ、設置自在性、組立作業性に優れる。
（１２）回動保持部が、下部容器のベッド部の端部上面と上部容器の内壁部の端部表面との間に介装される蝶番を有することにより、下部容器に対して上部容器を確実に回動させることができ、動作安定性に優れる。
（１３）回動保持部が、下部容器のベッド部の裏面側と上部容器の内壁部の裏面側とを連結するガススプリングを有することにより、小さな力で簡単に上部容器を回動させて開閉作業を行うことができ、省力性に優れる。
【００４２】
以上のように実施の形態１におけるカプセルサウナ用容器を用いて形成されたカプセルサウナは構成されているので、以下のような作用が得られる。
（１）上部容器の切り欠き部の上部から斜め上方に突出して形成された操作部取付け部を有することにより、入浴者が下部容器のベッド部に仰臥又は横臥した状態で直視することが可能な位置に操作部を配置することができ、取扱い性に優れる。
（２）下部容器のベッド部に形成された放射部固定凹部に敷設された放射体加熱部と、放射体加熱部の上部に固設された放射体岩盤を有することにより、放射体加熱部の熱と放射体岩盤から発生する遠赤外線の両方で、入浴者を効率的に温めることができ、遠赤外線による発汗性、健康促進効果に優れる。
（３）上部容器の内壁部に形成された加熱部固定孔部に配設された入浴部加熱部を有することにより、入浴部加熱部の熱で入浴部の内部を確実に加熱することができ、放射体岩盤と共に入浴者を全方向から斑無く効率的に温めることができ、省エネルギー性、加熱の効率性に優れる。
（４）放射部固定凹部の少なくとも１つの底部に放射体加熱部を挟んで放射体岩盤と対向配置された温度検出用岩盤と、温度検出用岩盤の温度を検出する温度センサと、を有する温度検出部を備えることにより、放射体岩盤とほぼ同等の温度に加熱された温度検出用岩盤の温度を検出することができるので、放射体岩盤を精度よく所望の温度に加熱することができ、温度制御の信頼性、加熱の効率性に優れる。
（５）断熱材が、入浴部加熱部の裏面側と上部容器の外壁部との間に配設されていることにより、入浴部加熱部の熱が上部容器の外壁部側に伝達することを確実に防止することができ、断熱の信頼性に優れる。
（６）上部容器の操作部取付け部に配設された傾斜状の操作部を有するので、入浴者が下部容器のベッド部に仰臥又は横臥した状態で操作部を直視することができ、操作部を簡便かつ確実に操作することができ、誤操作が発生し難く、操作性に優れる。
【産業上の利用可能性】
【００４３】
本発明は、軽量で保温性、量産性に優れ、放射体岩盤や放射体加熱部などを後から簡便に取り付けることができ、電気配線などの後施工も容易で組立作業性に優れるカプセルサウナ用容器の提供、及びそれを用いることにより、カプセルの外表面の温度上昇を抑えることができ、安全性に優れ、カプセルの内部を効率的に加熱、保温することができ、省エネルギー性に優れ、遠赤外線効果で体全体を効率的に温めることができ、健康促進効果に優れ、個人で気軽に利用することができる設置自在性に優れたカプセルサウナの提供を実現することができ、健康増進やダイエット、温熱療法等を目的に個人の家或いは既存の施設に簡便に設置して手軽に利用することができる。
【図面の簡単な説明】
【００４４】
【図１】（ａ）実施の形態１におけるカプセルサウナ用容器の下部容器を示す模式平面図（ｂ）図１（ａ）のＡ−Ａ線矢視断面模式図
【図２】（ａ）実施の形態１におけるカプセルサウナ用容器の上部容器を示す模式底面図（ｂ）図２（ａ）のＢ−Ｂ線矢視断面模式図
【図３】（ａ）実施の形態１におけるカプセルサウナ用容器を用いて形成されたカプセルサウナを示す側面図（ｂ）実施の形態１におけるカプセルサウナ用容器を用いて形成されたカプセルサウナを示す平面図
【図４】（ａ）実施の形態１におけるカプセルサウナ用容器の上部カバー及び側部ドアを開いた状態を示す全体斜視図（ｂ）実施の形態１におけるカプセルサウナ用容器の上部カバーの開閉機構を示す要部拡大斜視図
【図５】図３（ｂ）のＣ−Ｃ線矢視断面模式図
【図６】カプセルサウナの温度検出部を示す要部断面模式図
【図７】カプセルサウナの回動保持部を示す要部模式斜視図
【符号の説明】
【００４５】
１  下部容器
２  周壁部
３  底部接地部
４  ベッド部
５ａ〜５ｄ  放射部固定凹部
５ｅ  温度検出用凹部
５ｆ  電気配線取出孔
６ａ，６ｂ  作業用貫通孔
７ａ，２２ａ  蝶番固定孔
７ｂ，２２ｂ  ガススプリング挿通孔
８，２３  ケーブル挿通孔
９，２４  補強部材
１０，２５  ガススプリング固定具
１１  支持部材
１５  上部容器
１６  外壁部
１７  内壁部
１８  切り欠き部
１９  操作部取付け部
１９ａ  操作部取付け孔
２０  加熱部固定孔部
２１  上部作業用貫通孔
３０  カプセルサウナ
３１  入浴部
３２ａ〜３２ｄ  放射体岩盤
３３  の操作部
３４  入浴部加熱部
３５  回動保持部
３６  放射体加熱部
３６ａ  電気配線
３７  断熱材
３８  温度検出部
３８ａ  温度検出用岩盤
３８ｂ  温度センサ
３９ａ  蝶番
３９ｂ  ガススプリング
４０  ケーブル
【図１】
2010125201.tif 000003
【図２】
2010125201.tif 000004
【図３】
2010125201.tif 000005
【図４】
2010125201.tif 000006
【図５】
2010125201.tif 000007
【図６】
2010125201.tif 000008
【図７】
2010125201.tif 000009